(57)【特許請求の範囲】
【請求項１】
庫内に商品収納ラック，および冷却／加熱ユニットを搭載した断熱筐体としてなるキャビネットの前面に断熱内扉，および外扉を装備した自動販売機のキャビネットであり、その内箱の底部前面に断熱内扉に対峙してガスケット付き化粧枠を装備したものであって、
前記化粧枠がその上縁に断面コ字形のフック部を形成した長尺のベース板と、該ベース板の長手方向に沿ってその前面に敷設したガスケットとからなり、前記フック部を内箱底板の前面フランジの上縁に差込み係合し、かつベース板の下部をキャビネットにねじ止め締結した自動販売機のキャビネットにおいて、
前記化粧枠が硬質樹脂の前記ベース板と、前記ガスケットとの一体成形品としてなることを特徴とする自動販売機のキャビネット。
【発明の詳細な説明】
【０００１】
【発明の属する技術分野】
本発明は、缶，びん，紙パック入りのコールド商品などを販売する自動販売機のキャビネットに関し、詳しくはその内箱の底部前面に敷設したガスケット付き化粧枠の取付け構造に関する。
【０００２】
【従来の技術】
まず、図２に頭記した自動販売機の全体構成示す。図において、１は断熱筐体としてなるキャビネット、２は外扉、３は断熱内扉、４はキャビネット１の庫内に仕切られた各部屋に収設した商品収納ラック（サーペンタイン式ラック）、５は商品搬出シュータ、６は商品取出口、７はキャビネット１の底部機械室に据付けた冷凍機であり、図面には描かれてないが商品搬出シュータ５の背後の庫内底部には冷却／加熱ユニットを備えている。また、断熱内扉３を閉じた状態でキャビネット１の庫内を密閉するために、断熱内扉３に対峙してキャビネット１の内箱前面には周縁に沿ってガスケットを敷設している。
【０００３】
この場合に、特に内箱の底部前面に敷設するガスケットについては、次記のような理由からガスケットをキャビネット１に直接貼り付けずに、ガスケット付き化粧枠８の独立部品としてキャビネット１に着脱可能に組付けるようにしている。すなわち、図３に示した内箱底部の構造において、図示のように内箱の底部前縁にはキャビネット庫内の各室に対応した箇所に凹部Ｑを切欠き形成し、この凹部Ｑを通して冷凍機７（図２参照）と庫内側に設置した冷却／加熱ユニットの冷却器との間の冷媒管Ｐを配管するようにしている。なお、図中で１ａは板金で作られた内箱の側壁，１ｂは底板、１ｃは底板１ｂの前縁から立ち上がる前面フランジ、１ｄは発泡樹脂などの断熱板で作られた内箱底板である。このような冷媒配管構造の採用により、従来では冷媒管Ｐの組立，冷凍機のメンテナンス作業の邪魔にならないように、ガスケットを化粧枠８と一体化して内箱の底部前面に着脱可能に取付けるようにしている。
【０００４】
ここで、化粧枠８は樹脂製の長尺なベース板８ａに沿ってその前面にガスケット８ｂを被着しており、キャビネットに組付けるには、冷媒管Ｐを配管した後に内箱底部の凹部Ｑの前面にカバー９をねじ止めした上で、該カバー９を化粧板８の取付座としてカバー９の間にまたがって前方からガスケット付き化粧枠８を当てがい、図４(a),(b) のように締結ねじ１０によりベース板８ａをカバー９にねじ止めして固定している。なお、図４において、１ｅは冷凍機７を収容したキャビネットの外箱底板である。
【０００５】
【発明が解決しようとする課題】
ところで、前記した従来における化粧枠８の取付構造では、組立性，およびガスケットのシール性などの面で次記のような問題点がある。すなわち、
(1) キャビネット１の内箱底部の前面にガスケット付き化粧枠８を組付けるには、事前に冷媒管Ｐの配管通路となる凹部Ｑを覆うように底板の前面フランジ１ａにカバー９をねじ止めし、さらにこのカバー９に化粧枠８のベース板８ａを当てがって締結ねじ１０でねじ止めるようにしているために、ねじ止め箇所，および作業工数が多く化粧枠８の組付け，取り外し作業に手間がかかる。
【０００６】
(2) また、化粧枠８を組付けた状態でも、カバー９の前面にねじ止めした部分を除いた範囲では、化粧枠８のベース板８ａが内箱底板の前面フランジ１ｃから浮いた状態となり、この範囲ではフランジ１ｃの板面と化粧枠８のベース板８ａとの間にカバー９の板厚に相当した隙間が残る。このために、長尺の化粧枠８が長手方向に撓んで波打ち易く、キャビネット１の断熱内扉３を閉じて庫内を保冷している運転状態では、化粧枠８の撓み（波打ち）が基でガスケット８ｂと断面内扉３の間のシール性が低下するほか、前記の隙間を通じて庫内の冷気が外部に漏れ易くなるといった問題が生じる。
【０００７】
本発明は上記の点に鑑みなされたものであり、その目的は前記課題を解決し、キャビネットへの組付けが簡単で、しかも高い気密性が確保できるようにガスケット付き化粧枠，およびその取付構造を改良した自動販売機のキャビネットを提供することにある。
【０００８】
【課題を解決するための手段】
上記目的を達成するために、本発明によれば、庫内に商品収納ラック，および冷却／加熱ユニットを搭載した断熱筐体としてなるキャビネットの前面に断熱内扉，および外扉を装備した自動販売機のキャビネットであり、その内箱の底部前面に断熱内扉に対峙してガスケット付き化粧枠を装備したものであって、前記化粧枠がその上縁に断面コ字形のフック部を形成した長尺のベース板と、該ベース板の長手方向に沿ってその前面に敷設したガスケットとからなり、前記フック部を内箱底板の前面フランジの上縁に差込み係合し、かつベース板の下部をキャビネットにねじ止め締結した自動販売機のキャビネットにおいて、前記化粧枠が硬質樹脂の前記ベース板と、前記ガスケットとの一体成形品としてなることを特徴とする
【０００９】
かかる構成により、従来構造と比べてねじ止め箇所，部品点数，組立工数が少なくて済み、化粧枠の組付け，取り外し作業が楽に行える。しかも、化粧枠のベース板は冷媒管を通す凹部の前面を覆ってその全長域が内箱底壁の前面フランジに密着するので、化粧枠に波打ち変形が生じることもなく、これによりガスケットのシール性，キャビネットの密閉性が向上する。
【００１０】
【発明の実施の形態】
以下、本発明の実施の形態を図１に示す実施例に基づいて説明する。なお、実施例の図中で図４に対応する部材には同じ符号を付してその説明は省略する。
すなわち、図１(a),(b) の実施例において、化粧枠８は硬質樹脂の長尺ベース板８ａとガスケット８ｂとの一体成形品で、ベース板８ａにはその上縁に沿って背面側にコ字形のフック部８ａ-1が形成された構造になる。なお、ベース板８ａには裏面側にもヒレ状のガスケットが一体成形されている。
【００１１】
そして、化粧枠８を自動販売機のキャビネットに組付けるには、図３に示した内箱の底部前縁に形成した凹部Ｑを通して庫内の冷却／加熱ユニットと冷凍機との間に冷媒管Ｐを配管した状態で、前記のフック部８ａ-1を内箱底板のフランジ１ｃの上縁へ嵌め込んでベース板８とフランジ１ｃとがその全長域で密着するように係合し、さらにベース板８ａの下部に締結ねじ１０を通して外箱底板１の前面に締結する。なお、この実施例では図３，図４に示したカバー９は省略し、ベース板８ａで内箱底板の前縁に切欠き形成した凹部Ｑの前面を覆うようにしている。
【００１２】
【発明の効果】
以上述べたように、本発明の構成によれば、キャビネットの内箱底部の前面に組付けるガスケット付き化粧枠が、硬質樹脂のベース板と、ガスケットとの一体成形品として、その上縁に断面コ字形のフック部を形成した長尺のベース板と、該ベースの長手方向に沿ってその前面に敷設したガスケットとからなり、前記フック部を内箱底壁の前面フランジの上縁に差込み係合し、かつベース板の下部をキャビネットにねじ止め締結して組付けるようしたことにより、従来構造と比べてねじ止め箇所，部品点数，組立工数が少なくて済む。しかも、化粧枠は冷媒管を通す凹部の前面を覆ってその全長域が内箱底壁の前面フランジに密着するので、化粧枠に波打ち変形が生じることもなく、これによりガスケットのシール性，キャビネットの密閉性が向上する。
【図面の簡単な説明】
【図１】本発明の実施例によるガスケット付き化粧枠の取付構造図であり、(a),(b) はそれぞれ化粧枠の組付け前，組付け後の状態を表す断面側視図
【図２】自動販売機の扉開放状態の外観図
【図３】キャビネット内箱の底部前面に組付けるガスケット付き化粧枠の従来の取付構造を表す分解斜視図
【図４】図３に示した化粧枠の取付け手順を表す説明図であり、(a),(b) はそれぞれ化粧枠の組付け前，組付け後の状態を表す断面側視図
【符号の説明】
１    キャビネット
１ｂ  内箱の底板
１ｃ  前面フランジ
３    断熱内扉
４    商品収納ラック
８    化粧枠
８ａ  ベース板
８ａ-1  フック部
８ｂ  ガスケット
１０    締結ねじ
【図１】
0004032614.tif 000002
【図２】
0004032614.tif 000003
【図３】
0004032614.tif 000004
【図４】
0004032614.tif 000005